(57)【要約】【課題】  加入者モジュールを介してＩＳＤＮ網に接続される通信網を介して通信を行う際に、統一された着信先番号に基づいて、当該着信先への呼着信させることができる通信方法、通信システム、無線基地局、通信制御装置及び端末装置を提供する。【解決手段】  本発明に係る通信システムは、着信先番号が第１の領域に格納された呼設定メッセージを端末装置から受信し、着信先番号と加入者モジュールに割り当てられている特定番号とが対応付けられた変換用番号データに基づいて、呼設定メッセージの第１の領域に格納されている当該着信先番号を第２の領域に格納するとともに、当該着信先番号と対応付けられている特定番号を第１の領域に格納した置換呼設定メッセージに変換し、ＩＳＤＮ網を介して取得した置換呼設定メッセージの第２の領域に格納されている当該着信先番号に基づいて、着信先に置換呼設定メッセージを送信する。【選択図】  図１
2005123746.tif 000002
【特許請求の範囲】
【請求項１】
ＩＳＤＮ網に接続される無線基地局と、前記ＩＳＤＮ網の加入者モジュールを介して接続される通信網上に配置される通信制御装置とによって構成される通信システムにおいて用いられる通信方法であって、
前記無線基地局では、前記通信網を介して接続される着信先に割り当てられている着信先番号と、前記加入者モジュールに割り当てられている特定番号とが対応付けられている変換用番号データが格納されており、
前記無線基地局が、前記着信先番号が第１の領域に格納された呼設定メッセージを端末装置から受信するステップと、
前記無線基地局が、前記変換用番号データに基づいて、前記呼設定メッセージの前記第１の領域に格納されている前記着信先番号を前記呼設定メッセージの第２の領域に格納するとともに、前記着信先番号と対応付けられている前記特定番号を前記第１の領域に格納した置換呼設定メッセージに変換するステップと、
前記通信制御装置が、前記ＩＳＤＮ網を介して取得した前記置換呼設定メッセージの前記第２の領域に格納されている前記着信先番号に基づいて、前記着信先に呼設定メッセージを送信するステップと
を備えることを特徴とする通信方法。
【請求項２】
ＩＳＤＮ網に接続される無線基地局と、前記ＩＳＤＮ網の加入者モジュールを介して接続される通信網上に配置される通信制御装置とによって構成される通信システムであって、
前記無線基地局は、
前記通信網を介して接続される着信先に割り当てられている着信先番号と、前記加入者モジュールに割り当てられている特定番号とが対応付けられている変換用番号データを格納する変換用番号データ格納部と、
前記着信先番号が第１の領域に格納された呼設定メッセージを端末装置から受信する受信部と、
前記変換用番号データに基づいて、前記呼設定メッセージの前記第１の領域に格納されている前記着信先番号を前記呼設定メッセージの第２の領域に格納するとともに、前記着信先番号と対応付けられている前記特定番号を前記第１の領域に格納した置換呼設定メッセージに変換するメッセージ変換部とを備え、
前記通信制御装置は、
前記ＩＳＤＮ網を介して取得した前記置換呼設定メッセージの前記第２の領域に格納されている前記着信先番号に基づいて、前記着信先に呼設定メッセージを送信するメッセージ振分部を
備えることを特徴とする通信システム。
【請求項３】
前記通信システムは、前記変換用番号データを管理するデータベース装置をさらに有し、
前記データベース装置は、
前記無線基地局毎の前記変換用番号データである無線基地局別変換用番号データを生成する無線基地局別変換用番号データ生成部と、
前記無線基地局別番号データを前記無線基地局に配信する配信部と
を備えることを特徴とする請求項２に記載の通信システム。
【請求項４】
通信網とＩＳＤＮ網とが、前記ＩＳＤＮ網の加入者モジュールを介して接続されており、前記ＩＳＤＮ網に接続される無線基地局であって、
前記通信網を介して接続される着信先に割り当てられている着信先番号と、前記加入者モジュールに割り当てられている特定番号とが対応付けられている変換用番号データを格納する変換用番号データ格納部と、
前記着信先番号が第１の領域に格納された呼設定メッセージを端末装置から受信する受信部と、
前記変換用番号データに基づいて、前記呼設定メッセージの前記第１の領域に格納されている前記着信先番号を前記呼設定メッセージの第２の領域に格納するとともに、前記着信先番号と対応付けられている前記特定番号を前記第１の領域に格納した置換呼設定メッセージに変換するメッセージ変換部と
を備えることを特徴とする無線基地局。
【請求項５】
前記無線基地局毎の前記変換用番号データである無線基地局別変換用番号データを受信する変換用番号データ受信部をさらに備え、
前記変換用番号データ格納部は、受信した前記無線基地局別変換用番号データを格納することを特徴とする請求項４に記載の無線基地局。
【請求項６】
前記メッセージ変換部は、前記着信先番号が前記特定番号と対応付けられていない場合、受信した前記呼設定メッセージを変換せず、
前記受信部が前記端末装置から受信した前記呼設定メッセージが、前記ＩＳＤＮ網へ送信されることを特徴とする請求項４または５に記載の無線基地局。
【請求項７】
ＩＳＤＮ網の加入者モジュールを介して接続される通信網上に配置される通信制御装置であって、
前記ＩＳＤＮ網を介して取得した呼設定メッセージの第２の領域に格納された、着信先に割り当てられている着信先番号を、前記呼設定メッセージの第１の領域に格納し、前記着信先番号が前記第１の領域に格納された呼設定メッセージを前記着信先に送信するメッセージ振分部を備えることを特徴とする通信制御装置。
【請求項８】
通信網とＩＳＤＮ網とが、前記ＩＳＤＮ網の加入者モジュールを介して接続されており、前記ＩＳＤＮ網に接続される端末装置であって、
前記通信網を介して接続される着信先に割り当てられている着信先番号と、前記加入者モジュールに割り当てられている特定番号とが対応付けられている変換用番号データを格納する変換用番号データ格納部と、
前記着信先番号を取得する番号取得部と、
前記変換用番号データに基づいて、第１の領域に前記着信先番号と対応付けられている前記特定番号を格納するとともに、前記着信先番号を前記呼設定メッセージの第２の領域に格納した置換呼設定メッセージを生成するメッセージ生成部と
を備えることを特徴とする端末装置。
【発明の詳細な説明】
【技術分野】
【０００１】
本発明は、ＩＳＤＮ網の加入者モジュールを介して接続される通信網を介して通信を行う通信方法、通信システム、無線基地局、通信制御装置及び端末装置に関する。
【背景技術】
【０００２】
従来、全国をサービスの提供エリアとするＩＳＤＮ網と、他の通信網、例えば、当該ＩＳＤＮ網を運用する通信事業者（以下、ＩＳＤＮ網通信事業者という）と異なる通信事業者が運用する通信網（以下、ＩＳＤＮ網依存通信網という）とを接続する方法のひとつとして、当該ＩＳＤＮ網の加入者モジュールを用いる方法がある。
【０００３】
一般的に、加入者モジュールは、当該ＩＳＤＮ網に加入する加入者の端末装置などを接続するために用いられ、加入者モジュール毎に電話番号が割り当てられるとともに、端末装置からの呼の制御には、着信先の電話番号などが格納された呼設定メッセージ（例えば、非特許文献１）などが用いられる。
【０００４】
当該ＩＳＤＮ網と、ＩＳＤＮ網依存通信網との接続に、加入者モジュールが用いられる場合、当該ＩＳＤＮ網に接続される端末装置などから、ＩＳＤＮ網依存通信網に接続される着信先の端末装置などに送信される呼設定メッセージは、ＩＳＤＮ網に向けてはルーティングされず、同一の局内に配置されている、当該端末装置などに接続される加入者モジュールと、ＩＳＤＮ網依存通信網に接続される加入者モジュールとの間においてルーティングされる（以下、加入者モジュール折返し機能という）。
【０００５】
加入者モジュール折返し機能を用いることにより、当該端末装置などからの呼設定メッセージなどをＩＳＤＮ網にルーティングしないようにすることができるため、ＩＳＤＮ網依存通信網を運用する通信事業者（以下、ＩＳＤＮ網依存通信事業者という）は、ＩＳＤＮ網通信事業者に対して支払う接続料（アクセスチャージ）の低減などを図ることができる。
【非特許文献１】ITU-T勧告Q.931(I.451)、“ISDN user-network interface layer 3 specification for basic call control”、ITU-T、１９９８年５月
【発明の開示】
【発明が解決しようとする課題】
【０００６】
ところで、ＩＳＤＮ網依存通信事業者の中には、上述したＩＳＤＮ網に無線基地局を接続し、当該無線基地局に接続される加入者モジュールと、ＩＳＤＮ網依存通信網に接続される加入者モジュールとにおいて、上述した加入者モジュール折返し機能を用いる形態により、当該無線基地局と無線通信を行う移動端末に対して移動通信サービスを提供するＩＳＤＮ網依存通信事業者（例えば、ＰＨＳ（Personal Handyphone System）事業者）が存在する。
【０００７】
かかる移動端末では、ＩＳＤＮ網依存通信網に接続される着信先の端末装置などに対して発信する際、当該着信先の端末装置などに割り当てられている電話番号（着信先番号）ではなく、まず、ＩＳＤＮ網依存通信網に接続される加入者モジュールに割り当てられている電話番号（特定番号）を指定しなければならなかった。
【０００８】
この結果、ＩＳＤＮ網依存通信網では、当該着信先の端末装置に割り当てられている着信先番号が格納された呼設定メッセージを取得することができず、かかる移動端末からの呼を直接、当該着信先の端末装置などに着信させることができないという問題があった。
【０００９】
さらに、上述したような無線基地局が、全国のあらゆる地域に配置されている場合、加入者モジュールに割り当てられる特定番号は、当該無線基地局が配置されている地域（例えば、市外局番部分など）によって異なる。
【００１０】
したがって、かかる形態による移動通信サービスの利用者は、自身の存在する地域に応じて、入力する番号を適宜変更しなければならず、利用者が入力する着信先番号が統一できないといった問題もあった。
【００１１】
そこで、本発明は、以上の点に鑑みてなされたもので、加入者モジュールを介してＩＳＤＮ網に接続される通信網を介して通信を行う際に、統一された着信先番号に基づいて、当該着信先への呼を着信させることができる通信方法、通信システム、無線基地局、通信制御装置及び端末装置を提供することをその目的とする。
【課題を解決するための手段】
【００１２】
上述した課題を解決するため、本発明は、次のような特徴を有している。まず、本発明の第１の特徴は、ＩＳＤＮ網に接続される無線基地局と、前記ＩＳＤＮ網の加入者モジュールを介して接続される通信網上に配置される通信制御装置とによって構成される通信システムにおいて用いられる通信方法であって、前記無線基地局では、前記通信網を介して接続される着信先に割り当てられている着信先番号と、前記加入者モジュールに割り当てられている特定番号とが対応付けられている変換用番号データが格納されており、前記無線基地局が、前記着信先番号が第１の領域に格納された呼設定メッセージを端末装置から受信するステップと、前記無線基地局が、前記変換用番号データに基づいて、前記呼設定メッセージの前記第１の領域に格納されている前記着信先番号を前記呼設定メッセージの第２の領域に格納するとともに、前記着信先番号と対応付けられている前記特定番号を前記第１の領域に格納した置換呼設定メッセージに変換するステップと、前記通信制御装置が、前記ＩＳＤＮ網を介して取得した前記置換呼設定メッセージの前記第２の領域に格納されている前記着信先番号に基づいて、前記着信先に呼設定メッセージを送信するステップとを備えることを要旨とする。
【００１３】
かかる特徴によれば、端末装置（例えば、移動端末）から受信した呼設定メッセージ（ＳＥＴＵＰメッセージ）の第１の領域（例えば、着信番号領域）に格納されている着信先番号が、ＩＳＤＮ網の加入者モジュールに割り当てられている特定番号と対応付けられている場合、当該着信先番号が、呼設定メッセージの第２の領域（例えば、着サブアドレス領域）に格納される。
【００１４】
さらに、ＩＳＤＮ網の加入者モジュールを介して接続される通信網、つまり、ＩＳＤＮ網依存通信網上に配置される通信制御装置は、第２の領域に格納された着信先番号に基づいて、呼設定メッセージを当該着信先に送信する。
【００１５】
すなわち、かかる特徴によれば、加入者モジュールを介してＩＳＤＮ網に接続される通信網を介して通信を行う際に、統一された着信先番号に基づいて、当該着信先への呼を着信させることができる。
【００１６】
また、かかる特徴によれば、利用者は、自身の存在する地域に応じて、入力する着信先番号とを適宜変更する必要がなく、統一された着信先番号により、着信先を指定することができる。
【００１７】
さらに、かかる特徴によれば、ＩＳＤＮ網依存通信事業者が、無線基地局と通信制御装置とを設置することができるため、既存のＩＳＤＮ網の機能を一切変更する必要がない。
【００１８】
本発明の第２の特徴は、ＩＳＤＮ網に接続される無線基地局と、前記ＩＳＤＮ網の加入者モジュールを介して接続される通信網上に配置される通信制御装置とによって構成される通信システムであって、前記無線基地局が、前記通信網を介して接続される着信先に割り当てられている着信先番号と、前記加入者モジュールに割り当てられている特定番号とが対応付けられている変換用番号データを格納する変換用番号データ格納部と、前記着信先番号が第１の領域に格納された呼設定メッセージを端末装置から受信する受信部と、前記変換用番号データに基づいて、前記呼設定メッセージの前記第１の領域に格納されている前記着信先番号を前記呼設定メッセージの第２の領域に格納するとともに、前記着信先番号と対応付けられている前記特定番号を前記第１の領域に格納した置換呼設定メッセージに変換するメッセージ変換部とを備え、前記通信制御装置が、前記ＩＳＤＮ網を介して取得した前記置換呼設定メッセージの前記第２の領域に格納されている前記着信先番号に基づいて、前記着信先に呼設定メッセージを送信するメッセージ振分部を備えることを要旨とする。
【００１９】
本発明の第３の特徴は、本発明の第２の特徴において、前記通信システムが、前記変換用番号データを管理するデータベース装置をさらに有し、前記データベース装置が、前記無線基地局毎の前記変換用番号データである無線基地局別変換用番号データを生成する無線基地局別変換用番号データ生成部と、前記無線基地局別番号データを前記無線基地局に配信する配信部とを備えることを要旨とする。
【００２０】
かかる特徴によれば、変換用番号データが、各無線基地局に配信されるため、ＩＳＤＮ網依存通信網の構成の変更（例えば、着信先の追加）などに応じて、無線基地局は、変換用番号データを迅速に更新することができる。
【００２１】
本発明の第４の特徴は、通信網とＩＳＤＮ網とが、前記ＩＳＤＮ網の加入者モジュールを介して接続されており、前記ＩＳＤＮ網に接続される無線基地局であって、前記通信網を介して接続される着信先に割り当てられている着信先番号と、前記加入者モジュールに割り当てられている特定番号とが対応付けられている変換用番号データを格納する変換用番号データ格納部と、前記着信先番号が第１の領域に格納された呼設定メッセージを端末装置から受信する受信部と、前記変換用番号データに基づいて、前記呼設定メッセージの前記第１の領域に格納されている前記着信先番号を前記呼設定メッセージの第２の領域に格納するとともに、前記着信先番号と対応付けられている前記特定番号を前記第１の領域に格納した置換呼設定メッセージに変換するメッセージ変換部とを備えることを要旨とする。
【００２２】
本発明の第５の特徴は、本発明の第４の特徴において、前記無線基地局毎の前記変換用番号データである無線基地局別変換用番号データを受信する変換用番号データ受信部をさらに備え、前記変換用番号データ格納部は、受信した前記無線基地局別変換用番号データを格納することを要旨とする。
【００２３】
かかる特徴によれば、各無線基地局は、変換用番号データを外部から受信することができるため、ＩＳＤＮ網依存通信網の構成の変更（例えば、着信先の追加）などに応じて、変換用番号データを迅速に更新することができる。
【００２４】
本発明の第６の特徴は、本発明の第４または第５の特徴において、前記メッセージ変換部が、前記着信先番号が前記特定番号と対応付けられていない場合、受信した前記呼設定メッセージを変換せず、前記受信部が前記端末装置から受信した前記呼設定メッセージが、前記ＩＳＤＮ網へ送信されることを要旨とする。
【００２５】
かかる特徴によれば、ＩＳＤＮ網に向けて送信されるべきＳＥＴＵＰメッセージは、無線基地局において変換されることなく、ＩＳＤＮ網に送信されるため、端末装置は、当該無線基地局とＩＳＤＮ網とを介して通信を行うことができる。
【００２６】
本発明の第７の特徴は、ＩＳＤＮ網の加入者モジュールを介して接続される通信網上に配置される通信制御装置であって、前記ＩＳＤＮ網を介して取得した呼設定メッセージの第２の領域に格納された、着信先に割り当てられている着信先番号を、前記呼設定メッセージの第１の領域に格納し、前記着信先番号が前記第１の領域に格納された呼設定メッセージを前記着信先に送信するメッセージ振分部を備えることを要旨とする。
【００２７】
本発明の第８の特徴は、通信網とＩＳＤＮ網とが、前記ＩＳＤＮ網の加入者モジュールを介して接続されており、前記ＩＳＤＮ網に接続される端末装置であって、前記通信網を介して接続される着信先に割り当てられている着信先番号と、前記加入者モジュールに割り当てられている特定番号とが対応付けられている変換用番号データを格納する変換用番号データ格納部と、前記着信先番号を取得する番号取得部と、前記変換用番号データに基づいて、第１の領域に前記着信先番号と対応付けられている前記特定番号を格納するとともに、前記着信先番号を前記呼設定メッセージの第２の領域に格納した置換呼設定メッセージを生成するメッセージ生成部とを備えることを要旨とする。
【００２８】
かかる特徴によれば、ＩＳＤＮ網依存通信事業者が、移動通信サービスではなく、有線による、いわゆる固定電話のサービスを提供する場合において、無線基地局に代えて、当該端末装置を用いることにより、上述した通信システムと同様の効果を得ることができる。
【発明の効果】
【００２９】
本発明によれば、加入者モジュールを介してＩＳＤＮ網に接続される通信網を介して通信を行う際に、統一された着信先番号に基づいて、当該着信先への呼を着信させることができる通信方法、通信システム、無線基地局、通信制御装置及び端末装置を提供することができる。
【発明を実施するための最良の形態】
【００３０】
（通信システムを含むネットワーク構成）
次に、本発明の実施形態について説明する。図１は、本実施形態に係る通信システムを含むネットワーク構成を示している。
【００３１】
同図に示すように、全国をサービスの提供エリアとするＩＳＤＮ網４１０と、ＩＳＤＮ網４１０を介して移動通信サービスを提供するＩＳＤＮ網依存通信事業者（例えば、ＰＨＳ事業者）の通信網であるＩＳＤＮ網依存通信網５１０とは、ＩＳＤＮ網４１０の加入者モジュール３１０及び加入者モジュール３１１を介して接続されている。なお、具体的には、加入者モジュール３１０，３１１は、ＩＳＤＮ網４１０を構成する交換機などに実装されている。
【００３２】
本実施形態では、加入者モジュール３１０，３１１として、ＰＲＩ（１次群）インターフェースが用いられる。加入者モジュール３１０、具体的には、Point of Interface（ＰＯＩ）３１０１には、”0111 111 111”が特定番号（以下、特定ＰＲＩ番号という）として割り当てられる。また、加入者モジュール３１１、具体的には、ＰＯＩ３１１１には、“0999 999 999”が特定ＰＲＩ番号として割り当てられている。
【００３３】
なお、特定ＰＲＩ番号とは、具体的には、国内プレフィックス（０）と、市外・市内局番（５桁）と、加入者番号（４桁）とから構成される電話番号（0A〜J）である。
【００３４】
また、加入者モジュール３１０には、ＩＳＤＮ網依存通信網５１０を運用するＩＳＤＮ網依存通信事業者によって設置された無線基地局２１０が接続されている。さらに、加入者モジュール３１１には、同様に無線基地局２１１が接続されている。
【００３５】
無線基地局２１０，２１１は、移動端末１１０乃至移動端末１４０と無線通信を行い、移動端末１１０乃至移動端末１４０から送信された呼設定メッセージ（ＳＥＴＵＰメッセージ）の内容を変換することができる。なお、移動端末１１０乃至移動端末１４０としては、例えば、ＰＨＳ端末を用いることができる。
【００３６】
また、ＩＳＤＮ網依存通信網５１０には、移動端末１１０乃至移動端末１４０と通信を行うアクセスポイント８１０及びアクセスポイント８１１が接続されている。本実施形態では、アクセスポイント８１０には、“0570 800 111”が、また、アクセスポイント８１１には、“0570 800 999”が、着信先番号としてそれぞれ割り当てられている。なお、アクセスポイント８１０，８１１としては、例えば、一般的な電話端末や音声自動応答装置（ＩＶＲ）を用いることができる。
【００３７】
さらに、ＩＳＤＮ網依存通信網５１０には、加入者モジュール３１０，３１１を介してルーティングされたＳＥＴＵＰメッセージの内容に基づいて、アクセスポイント８１０またはアクセスポイント８１１に当該ＳＥＴＵＰメッセージを振り分けるＳＥＴＵＰ振分装置７１０が接続されている。なお、本実施形態では、ＳＥＴＵＰ振分装置７１０は、通信制御装置を構成する。
【００３８】
また、ＩＳＤＮ網依存通信網５１０には、アクセスポイント８１０，８１１に割り当てられている着信先番号（“0570 800 111”，“0570 800 999”）と、ＰＯＩ３１０１，３１１１に割り当てられている特定ＰＲＩ番号（”0111 111 111”，“0999 999 999”）とを対応付ける変換用番号データを生成するとともに、当該変換用番号データを無線基地局２１０，２１１に配信する変換番号ＤＢ装置６１０が接続されている。なお、本実施形態では、変換番号ＤＢ装置６１０は、データベース装置を構成する。
（通信システムの論理ブロック構成）
次に、図２を参照して、本実施形態に係る通信システムの論理ブロック構成について説明する。同図に示すように、本実施形態に係る通信システムは、無線基地局２１０，２１１と、ＳＥＴＵＰ振分装置７１０と、変換番号ＤＢ装置６１０とによって構成される。
【００３９】
無線基地局２１０，２１１は、データ受信部２１と、データ送信部２２と、ＳＥＴＵＰ制御部２３と、変換番号データ格納部２４と、通信制御部２５とを備えている。
【００４０】
変換番号ＤＢ装置６１０は、データ配信部６１と、変換番号データ管理部６２と、操作部６３とを備えている。
【００４１】
ＳＥＴＵＰ振分装置７１０は、データ受信部７１と、データ送信部７２と、ＳＥＴＵＰ振分制御部７３と、振分情報管理部７４と、操作部７５とを備えている。
（１）無線基地局２１０，２１１の構成
まず、無線基地局２１０，２１１の各ブロックの機能について、無線基地局２１０を例として説明する。データ受信部２１は、移動端末１１０乃至移動端末１４０、及び加入者モジュール３１０からデータを受信するものである。なお、データには、ＳＥＴＵＰメッセージなどの呼の制御に関するものや、音声信号が符号化されたデータなどが含まれる。
【００４２】
また、データ受信部２１は、本実施形態では、着信先番号（“0570 800 111”または“0570 800 999”）が、着信番号領域（第１の領域）に格納されたＳＥＴＵＰメッセージを移動端末１１０乃至移動端末１４０から取得する受信部を構成する。
【００４３】
さらに、データ受信部２１は、無線基地局毎の変換用番号データ、つまり、着信先番号と、特定ＰＲＩ番号とが対応付けられたデータである無線基地局別変換用番号データを変換番号ＤＢ装置６１０から受信する変換用番号データ受信部を構成する。
【００４４】
データ送信部２２は、移動端末１１０乃至移動端末１４０、及び加入者モジュール３１０に対して、データを送信するものである。
【００４５】
変換番号データ格納部２４は、着信先番号と、加入者モジュール３１０（ＰＯＩ３１０１）に割り当てられている特定ＰＲＩ番号とが対応付けられている変換用番号データを格納するものであり、本実施形態では、変換用番号データ格納部を構成する。また、変換番号データ格納部２４は、変換番号ＤＢ装置６１０から受信した無線基地局別変換用番号データを格納することができる。
【００４６】
ここで、図３は、変換番号ＤＢ装置６１０において生成される無線基地局別変換用番号データの一例を示している。同図に示すように、変換番号ＤＢ装置６１０において生成される変換用番号データは、無線基地局毎に生成され、無線基地局２１０には、同図に示す変換用番号データのうち、「基地局２１０」に関する変換用番号データが、変換番号ＤＢ装置６１０から配信される。
【００４７】
ＳＥＴＵＰ制御部２３は、変換番号データ格納部２４に格納されている変換用番号データに基づいて、ＳＥＴＵＰメッセージに格納されている着信先番号が、特定ＰＲＩ番号と対応付けられているか否かを判定するものである。
【００４８】
また、ＳＥＴＵＰ制御部２３は、着信先番号が特定ＰＲＩ番号と対応付けられていると判定した場合、データ受信部２１が受信したＳＥＴＵＰメッセージの着信番号領域（第１の領域）に格納されている当該着信先番号をＳＥＴＵＰメッセージの着サブアドレス領域（第２の領域）に格納するとともに、当該着信先番号と対応付けられている特定ＰＲＩ番号を着信番号領域に格納した置換呼設定メッセージに変換するものものであり、メッセージ変換部を構成する。
【００４９】
具体的には、ＳＥＴＵＰ制御部２３は、変換番号データ格納部２４に格納されている変換用番号データに基づいて、データ受信部２１が移動端末１１０乃至移動端末１４０から受信したＳＥＴＵＰメッセージの着信番号領域に格納されている着信先番号（“0570 800 111”または“0570 800 999”）が、加入者モジュール３１０（ＰＯＩ３１０１）に割り当てられている特定ＰＲＩ番号（”0111 111 111”）と対応付けられているか否かを判定する。
【００５０】
また、ＳＥＴＵＰ制御部２３は、着信先番号が特定ＰＲＩ番号と対応付けられていると判定した場合、ＳＥＴＵＰメッセージの着信番号領域に格納されている当該着信先番号（例えば、“0570 800 111”）をＳＥＴＵＰメッセージの着サブアドレス領域に格納する。
【００５１】
さらに、ＳＥＴＵＰ制御部２３は、当該着信先番号（“0570 800 111”）と対応付けられている特定ＰＲＩ番号（”0111 111 111”）を着信番号領域に格納したＳＥＴＵＰメッセージ（置換呼設定メッセージ）に変換する。
【００５２】
ここで、図７は、変換前のＳＥＴＵＰメッセージの構成例と、ＳＥＴＵＰ制御部２３による変換後のＳＥＴＵＰメッセージの構成例とを示している。
【００５３】
同図（ａ）は、変換前のＳＥＴＵＰメッセージの構成例を示している。同図（ａ）に示すように、着信先番号“0570 800 111”は、ＳＥＴＵＰメッセージの共通部Ｓ１の着信番号領域に格納されている。一方、個別部Ｓ２の着サブアドレス領域には、何も格納されておらず、空きの状態となっている。
【００５４】
同図（ｂ）は、ＳＥＴＵＰ制御部２３による変換後のＳＥＴＵＰメッセージの構成例を示している。同図（ｂ）に示すように、着信先番号“0570 800 111”は、個別部Ｓ２の着サブアドレス領域に格納されている。また、共通部Ｓ１の着信番号領域には、加入者モジュール３１０（ＰＯＩ３１０１）に割り当てられている特定ＰＲＩ番号”0111 111 111”が格納されている。
【００５５】
なお、本実施形態では、着信先番号は、着サブアドレス領域ではなく、ＳＥＴＵＰメッセージの他の領域（例えば、個別部Ｓ２の他の領域）に格納してもよい。
【００５６】
通信制御部２５は、移動端末１１０乃至移動端末１４０、及び加入者モジュール３１０などと、データの送受信などに関する制御を行うものである。
（２）ＳＥＴＵＰ振分装置７１０の構成
次に、ＳＥＴＵＰ振分装置７１０の各ブロックの機能について説明する。
【００５７】
データ受信部７１は、加入者モジュール３１０，３１１を介して、無線基地局２１０，２１１から送信されたＳＥＴＵＰメッセージを受信するものである。また、データ送信部７２は、ＳＥＴＵＰ振分制御部７３によって振り分けられたＳＥＴＵＰメッセージを、アクセスポイント８１０またはアクセスポイント８１１に送信するものである。
【００５８】
ＳＥＴＵＰ振分制御部７３は、ＩＳＤＮ網４１０を介して取得したＳＥＴＵＰメッセージ、具体的には、無線基地局２１１によって変換されたＳＥＴＵＰメッセージ（置換呼設定メッセージ）の着サブアドレス領域（第２の領域）に格納されている着信先番号に基づいて、当該着信先にＳＥＴＵＰメッセージを送信するものであり、本実施形態では、メッセージ振分部を構成する。
【００５９】
具体的には、ＳＥＴＵＰ振分制御部７３は、ＩＳＤＮ網４１０を介して取得したＳＥＴＵＰメッセージ（置換呼設定メッセージ）の着サブアドレス領域に格納された着信先番号を、ＳＥＴＵＰメッセージの着信番号領域に格納し、当該着信先番号が着信番号領域に格納されたＳＥＴＵＰメッセージを着信先、つまり、アクセスポイント８１０またはアクセスポイント８１１に送信する。
【００６０】
より具体的には、ＳＥＴＵＰ振分制御部７３は、当該ＳＥＴＵＰメッセージの着サブアドレス領域に格納されている着信先番号（例えば、“0570 800 111”）を取得する。さらに、ＳＥＴＵＰ振分制御部７３は、取得した着信先番号“0570 800 111”を当該ＳＥＴＵＰメッセージの着信番号領域に格納して、アクセスポイント８１０に送信する。
【００６１】
また、ＳＥＴＵＰ振分制御部７３は、振分情報管理部７４に記憶されているルーティング情報に基づいて、着信先番号（例えば、“0570 800 111”）と対応付けられているＩＳＤＮ網依存通信網５１０上のルーティング先（例えば、アクセスポイント８１０に割り当てられているポート番号やアドレス）を決定し、当該ＳＥＴＵＰメッセージを決定したルーティング先、すなわち、アクセスポイント８１０に送信してもよい。
【００６２】
振分情報管理部７４は、着信先番号と、ＩＳＤＮ網依存通信網５１０上のルーティング先とを対応付けるルーティング情報を生成したり、その内容を変更したりするものである。また、振分情報管理部７４は、当該ルーティング情報を記憶し、ＳＥＴＵＰ振分制御部７３にその内容を参照させることができる。
【００６３】
操作部７５は、ＳＥＴＵＰ振分装置７１０の運用保守者が、ＳＥＴＵＰ振分装置７１０を操作するためのインターフェースを提供するものであり、例えば、運用保守者が入力したコマンドを取得する機能や、装置の状態を表示するディスプレイ機能などを具備する。
（３）変換番号ＤＢ装置６１０の構成
次に、変換番号ＤＢ装置６１０の各ブロックの機能について説明する。
【００６４】
データ配信部６１は、無線基地局別の変換用番号データである無線基地局別変換用番号データを無線基地局２１０，２１１に配信するものであり、本実施形態では、配信部を構成する。具体的には、データ配信部６１は、ＩＳＤＮ網依存通信網５１０を介して、変換番号データ管理部６２によって生成された無線基地局別変換用番号データを無線基地局２１０，２１１に配信する。
【００６５】
変換番号データ管理部６２は、無線基地局別変換用番号データを生成するものであり、本実施形態では、無線基地局別変換用番号データ生成部を構成する。
【００６６】
具体的には、変換番号データ管理部６２は、操作部６３を介して入力された着信先番号及び特定ＰＲＩ番号の情報に基づいて、無線基地局別変換用番号データを生成する。また、変換番号データ管理部６２は、生成した無線基地局別変換用番号データを記憶することができる。
【００６７】
なお、上述したように、変換番号データ管理部６２には、図３に示したような無線基地局別変換用番号データが記憶される。
【００６８】
操作部６３は、変換番号ＤＢ装置６１０の運用保守者が、変換番号ＤＢ装置６１０を操作するためのインターフェースを提供するものであり、例えば、運用保守者が入力したコマンドを取得する機能や、装置の状態を表示するディスプレイ機能などを具備する。また、操作部６３は、着信先番号や特定ＰＲＩ番号などの情報を入力するために用いられる。
（通信方法）
次に、上述した通信システムを用いた通信方法について説明する。図４は、移動端末１１０が、アクセスポイント８１０と通信を開始するまでの通信シーケンスを示している。
【００６９】
同図に示すように、まず、ステップＳ０において、無線基地局２１０は、移動端末１１０が、アクセスポイント８１０と通信を開始するのに先立って、変換番号ＤＢ装置６１０から配信された無線基地局別変換用番号データを格納する。
【００７０】
ステップＳ１０において、移動端末１１０は、利用者によって入力された着信先番号を取得する。ここでは、着信先番号として、“0570 800 111”が入力されたものとする。
【００７１】
ステップＳ２０において、移動端末１１０は、着信先番号“0570 800 111”が着信番号領域に格納されたＳＥＴＵＰメッセージを無線基地局２１０に送信する。具体的には、移動端末１１０は、図７（ａ）に示したようなＳＥＴＵＰメッセージを無線基地局２１０に送信する。
【００７２】
ステップＳ３０において、無線基地局２１０は、「番号比較変換処理」を実行する。ここで、図５は、「番号比較変換処理」の内容を示している。同図に示すように、ステップＳ１１０において、無線基地局２１０は、ＳＥＴＵＰメッセージを移動端末１１０から受信する。
【００７３】
ステップＳ１２０において、無線基地局２１０は、ＳＥＴＵＰメッセージの着信番号領域に格納されている着信先番号“0570 800 111”と、変換番号データ格納部２４に格納されている変換用番号データに含まれている着信先番号とを比較する。
【００７４】
ステップＳ１３０において、無線基地局２１０は、変換番号データ格納部２４に格納されている変換用番号データの中に、着信先番号“0570 800 111”が有るかを判定する。
【００７５】
具体的には、無線基地局２１０は、変換番号ＤＢ装置６１０によって配信された、「基地局２１０」に関する変換用番号データ（図３参照）を用い、着信先番号“0570 800 111”と、特定ＰＲＩ番号”0111 111 111”とが対応付けられているかを判定する。
【００７６】
着信先番号“0570 800 111”が、変換用番号データにない場合（ステップＳ１３０のＮｏ）、ステップＳ１４０において、無線基地局２１０は、移動端末１１０から受信したＳＥＴＵＰメッセージをそのままＩＳＤＮ網４１０へ送信する。
【００７７】
すなわち、無線基地局２１０のＳＥＴＵＰ制御部２３は、着信先番号が特定ＰＲＩ番号と対応付けられていない場合、移動端末１１０から受信したＳＥＴＵＰメッセージの着信番号領域（第１の領域）に格納されている着信先番号を変換せず、データ受信部２１が移動端末１１０から受信したＳＥＴＵＰメッセージが、ＩＳＤＮ網４１０へ送信される。つまり、ＩＳＤＮ網４１０に向けて送信されるべきＳＥＴＵＰメッセージは、無線基地局２１０において変換されることなく、ＩＳＤＮ網４１０に送信され、移動端末１１０は、ＩＳＤＮ網４１０を介して通信を行うことができる。
【００７８】
一方、変換用番号データの中に着信先番号が有る場合（ステップＳ１３０のＹｅｓ）、ステップＳ１５０において、無線基地局２１０は、変換用番号データに基づいて、受信したＳＥＴＵＰメッセージの内容を変換する。
【００７９】
具体的には、無線基地局２１０は、図７に示したように、当該ＳＥＴＵＰメッセージの着信番号領域に格納されている着信先番号“0570 800 111”をＳＥＴＵＰメッセージの着サブアドレス領域に格納するとともに、着信先番号“0570 800 111”と対応付けられている特定ＰＲＩ番号”0111 111 111”を着信番号領域に格納する。
【００８０】
なお、ここでは、ステップＳ１５０の処理が実行されたものとする。
【００８１】
ステップＳ１６０において、無線基地局２１０は、変換したＳＥＴＵＰメッセージをＩＳＤＮ網４１０へ送信する。
【００８２】
次に、図４に示すように、ステップＳ４０において、ＩＳＤＮ網４１０は、無線基地局２１０から受信しＳＥＴＵＰメッセージの着信番号領域に格納されている特定ＰＲＩ番号”0111 111 111”に基づいて、加入者モジュール３１０にルーティング、つまり、加入者モジュール折返し機能により、ＰＯＩ３１０１にルーティングすると決定する。
【００８３】
ステップＳ５０において、ＩＳＤＮ網４１０（加入者モジュール３１０）は、ＰＯＩ３１０１を介して、受信したＳＥＴＵＰメッセージをＩＳＤＮ網依存通信網５１０へ送信する。
【００８４】
ステップＳ６０において、ＳＥＴＵＰ振分装置７１０は、受信したＳＥＴＵＰメッセージの「振分処理」を実行する。ここで、図６は、「振分処理」の内容を示している。同図に示すように、ステップＳ２１０において、ＳＥＴＵＰ振分装置７１０は、受信したＳＥＴＵＰメッセージの着サブアドレス領域に格納されている着信先番号“0570 800 111”と、振分情報管理部７４に格納されているルーティング情報とを比較する。
【００８５】
ステップＳ２２０において、ＳＥＴＵＰ振分装置７１０は、着サブアドレス領域に格納されている着信先番号“0570 800 111”とに基づいて、ルーティング先（アクセスポイント８１０またはアクセスポイント８１１）を決定する。
【００８６】
ここでは、着サブアドレス領域に着信先番号“0570 800 111”が格納されているため（ステップＳ２２０のＹｅｓ）、ステップＳ２３０において、ＳＥＴＵＰ振分装置７１０は、着信先番号“0570 800 111”を着信番号領域に格納し、アクセスポイント８１０にＳＥＴＵＰメッセージを送信する。
【００８７】
なお、着サブアドレス領域に着信先番号“0570 800 999”が格納されている場合、ステップＳ２４０において、ＳＥＴＵＰ振分装置７１０は、ＳＥＴＵＰメッセージをアクセスポイント８１１に送信する。
【００８８】
次に、図４に示すように、ステップＳ７０において、アクセスポイント８１０は、ＳＥＴＵＰ振分装置７１０から送信されたＳＥＴＵＰメッセージに応じて、移動端末１１０との接続処理を実行し、移動端末１１０との通信を開始する。
【００８９】
なお、上述した通信方法では、移動端末１１０が、無線基地局２１０を介してアクセスポイント８１０との通信を開始する場合について説明したが、他の移動端末（移動端末１２０乃至１４０）や無線基地局２１１が用いられる場合においても、通信シーケンスは同様である。
（作用・効果）
以上説明した本発明の実施形態によれば、移動端末１１０乃至移動端末１４０から受信したＳＥＴＵＰメッセージの着信番号領域に格納されている着信先番号が、ＩＳＤＮ網４１０の加入者モジュール３１０（ＰＯＩ３１０１）または加入者モジュール３１１（ＰＯＩ３１１１）に割り当てられている特定番号と対応付けられている場合、当該着信先番号が、呼設定メッセージの着サブアドレス領域に格納される。
【００９０】
さらに、ＩＳＤＮ網４１０の加入者モジュール３１０，３１１を介して接続されるＩＳＤＮ網依存通信網５１０上に配置されるＳＥＴＵＰ振分装置７１０は、着サブアドレス領域に格納された着信先番号に基づいて、ＳＥＴＵＰメッセージを当該着信先にルーティングする。
【００９１】
すなわち、かかる特徴によれば、加入者モジュール３１０，３１１を介してＩＳＤＮ網４１０に接続されるＩＳＤＮ網依存通信網５１０を介して通信を行う際に、統一された着信先番号に基づいて、当該着信先への呼を着信させることができる。
【００９２】
また、本実施形態によれば、利用者は、自身の存在する地域に応じて、入力する着信先番号を適宜変更する必要がなく、統一された着信先番号により、着信先を指定することができる。
【００９３】
さらに、かかる特徴によれば、ＩＳＤＮ網依存通信事業者が、無線基地局２１０，２１１とＳＥＴＵＰ振分装置７１０とを設置することができるため、ＩＳＤＮ網４１０の機能を一切変更する必要がない。
【００９４】
本実施形態によれば、変換用番号データが、無線基地局２１０，２１１に配信されるため、ＩＳＤＮ網依存通信網５１０の構成の変更（例えば、アクセスポイントの追加）などに応じて、無線基地局２１０，２１１は、変換用番号データを迅速に更新することができる。
（変更例）
本発明は、上述した実施形態に限定されるものではなく、例えば、以下のように変更することができる。図８は、本発明の変更例に係る通信システムの論理ブロック構成を示している。なお、上述した本発明の実施形態と同一の構成要素には、同一の符号を付し、その説明を省略する。
【００９５】
同図に示すように、本変更例に係る端末装置９１０は、データ受信部２１’と、データ送信部２２’と、ＳＥＴＵＰ生成部２３’と、変換番号データ格納部２４と、通信制御部２５’と、番号取得部２６とを備えている。なお、本変更例では、上述した無線基地局２１０に代えて、端末装置９１０が、有線により、ＩＳＤＮ網４１０の加入者モジュール３１０に接続されているものとする。以下、上述した無線基地局２１０と異なる部分について、主に説明する。
【００９６】
データ受信部２１’は、加入者モジュール３１０からデータを受信するものである。なお、データには、ＳＥＴＵＰメッセージなどの呼の制御に関するものや、音声信号が符号化されたデータなどが含まれる。
【００９７】
データ送信部２２’は、加入者モジュール３１０に対して、データを送信するものである。
【００９８】
番号取得部２６は、利用者によって入力された着信先番号を取得するものである。
【００９９】
ＳＥＴＵＰ生成部２３’は、変換番号データ格納部２４に格納されている変換用番号データに基づいて、番号取得部２６によって取得された着信先番号が、特定ＰＲＩ番号と対応付けられているか否かを判定するものである。
【０１００】
また、ＳＥＴＵＰ生成部２３’は、取得された着信先番号が、特定ＰＲＩ番号と対応付けられていると判定した場合、ＳＥＴＵＰメッセージの着信番号領域（第１の領域）に当該着信先番号と対応付けられている特定ＰＲＩ番号を格納するとともに、当該着信先番号をＳＥＴＵＰメッセージの着サブアドレス領域（第２の領域）に格納した置換呼設定メッセージを生成するものであり、メッセージ生成部を構成する。
【０１０１】
具体的には、ＳＥＴＵＰ生成部２３’は、図７（ｂ）に示したような構成を有するＳＥＴＵＰメッセージを生成する。
【０１０２】
通信制御部２５’は、加入者モジュール３１０などと、データの送受信などに関する制御を行うものである。
【０１０３】
本変更例によれば、ＩＳＤＮ網依存通信事業者が、移動通信サービスではなく、有線による、いわゆる固定電話のサービスを提供する場合において、上述した無線基地局２１０，２１１に代えて、端末装置９１０を用いることにより、上述した本発明の実施形態に係る通信システムと同様の効果を得ることができる。
【図面の簡単な説明】
【０１０４】
【図１】本発明の実施形態に係る通信システムを含むネットワーク構成を示す図である。
【図２】本発明の実施形態に係る通信システムの論理ブロック構成を示す図である。
【図３】本発明の実施形態に係る通信システムにおいて用いられる変換用番号データの一例を示す図である。
【図４】本発明の実施形態に係る通信シーケンスを示す図である。
【図５】本発明の実施形態に係る無線基地局の動作を示すフロー図である。
【図６】本発明の実施形態に係る通信制御装置（ＳＥＴＵＰ振分装置７１０）の動作を示すフロー図である。
【図７】本発明の実施形態に係る通信システムにおいて用いられる呼設定メッセージ（ＳＥＴＵＰメッセージ）の構成例を示す図である。
【図８】本発明の変更例に係る通信システムの論理ブロック構成を示す図である。
【符号の説明】
【０１０５】
２１，２１’…データ受信部、２２，２２’…データ送信部、２３…ＳＥＴＵＰ制御部、２３’…ＳＥＴＵＰ生成部、２４…変換番号データ格納部、２５，２５’…通信制御部、２６…番号取得部、６１…データ配信部、６２…変換番号データ管理部、６３…操作部、７１…データ受信部、７２…データ送信部、７３…ＳＥＴＵＰ振分制御部、７４…振分情報管理部、７５…操作部、１１０〜１４０…移動端末、２１０，２１１…無線基地局、３１０，３１１…加入者モジュール、４１０…ＩＳＤＮ網、５１０…ＩＳＤＮ網依存通信網、６１０…変換番号ＤＢ装置、７１０…ＳＥＴＵＰ振分装置、８１０，８１１…アクセスポイント、３１０１，３１１１…ＰＯＩ（Point of Interface）、Ｓ１…共通部、Ｓ２…個別部
【図１】
2005123746.tif 000003
【図２】
2005123746.tif 000004
【図３】
2005123746.tif 000005
【図４】
2005123746.tif 000006
【図５】
2005123746.tif 000007
【図６】
2005123746.tif 000008
【図７】
2005123746.tif 000009
【図８】
2005123746.tif 000010